(57)【要約】【課題】アースバネを取り付ける際の作業性を高めることができる電子機器を提供する。【解決手段】第１の導電部であるカバー８と、第２の導電部であるアースパターン２８と、カバー８とアースパターン２８とを電気的に接続するコイル状のアースバネ３０と、アースバネ３０をアースパターン２８に締結するネジ１４と、を備え、アースバネ３０は、アースバネ３０の径方向に複数ターン巻かれ、カバー８を押圧する第１の端部３２と、ネジ１４によりアースパターン２８に締結される第２の端部３４と、を有する。【選択図】図２
2014203965.tif 000002
【特許請求の範囲】
【請求項１】
第１の導電部と、
第２の導電部と、
前記第１の導電部と前記第２の導電部とを電気的に接続するコイル状のアースバネと、
前記アースバネを前記第２の導電部に締結する締結部材と、を備え、
前記アースバネは、
前記アースバネの径方向に複数ターン巻かれ、且つ、前記第１の導電部を押圧する第１の端部と、
前記締結部材により前記第２の導電部に締結される第２の端部と、を有する
電子機器。
【請求項２】
前記締結部材は、前記第１の端部の開口部から前記第２の端部の開口部に挿入されることにより、前記第２の端部を前記第２の導電部に締結する
請求項１に記載の電子機器。
【請求項３】
前記第２の端部は、前記径方向に複数ターン巻かれている
請求項２に記載の電子機器。
【請求項４】
前記第１の端部の前記開口部の直径は、前記第２の端部の前記開口部の直径よりも大きい
請求項２又は３に記載の電子機器。
【請求項５】
前記アースバネの直径は、前記第１の端部から前記第２の端部にかけて漸減している
請求項２〜４のいずれか１項に記載の電子機器。
【請求項６】
前記第１の導電部及び前記第２の導電部の少なくとも一方は、筐体である
請求項１〜５のいずれか１項に記載の電子機器。
【請求項７】
第１の導電部と第２の導電部とを電気的に接続するためのアースバネであって、
前記アースバネはコイル状に構成され、
径方向に複数ターン巻かれ、且つ、前記第１の導電部を押圧するための第１の端部と、
締結部材により前記第２の導電部に締結されるための第２の端部と、を備える
アースバネ。
【発明の詳細な説明】
【技術分野】
【０００１】
本発明は、アース構造を有する電子機器及び当該電子機器に用いられるアースバネに関する。
【背景技術】
【０００２】
一般に、例えば映像機器及び通信機器等の電子機器には、電気的安全性及びＥＭＩ（Ｅｌｅｃｔｒｏ−Ｍａｇｎｅｔｉｃ  Ｉｎｔｅｒｆｅｒｅｎｃｅ）対策のため、アース構造が設けられている。
【０００３】
従来のアース構造では、例えば特許文献１に開示されているような板バネ状のアースバネが用いられている。この板バネ状のアースバネは、プリント配線基板のアースパターンに接触するようにして、ネジでプリント配線基板に取り付けられている。アースバネの先端部は、筐体の内面に押し当てられている。これにより、プリント配線基板のアースパターンがアースバネを介して筐体にアースされる。
【先行技術文献】
【特許文献】
【０００４】
【特許文献１】特開２０００−１２１１３号公報
【発明の概要】
【発明が解決しようとする課題】
【０００５】
しかしながら、上述した従来のアース構造では、次のような課題が生じる。板バネ状のアースバネには、取り付けの方向性がある。そのため、電子機器の製造工程において当該アースバネを取り付ける際には、アースバネの先端部が筐体の内面に押し当てられるようにアースバネを適宜回転させながらその取り付け方向を調節する必要がある。これにより、アースバネを取り付ける際の作業性が低下するという課題が生じる。
【０００６】
さらに、板バネ状のアースバネを作製するためには、当該アースバネ専用の金型が必要になる。一般に、このような金型の製作コストは高価であるので、電子機器の製造コストがその分上昇するという課題が生じる。
【０００７】
本発明は、上述した課題を解決しようとするものであり、その目的は、アースバネを取り付ける際の作業性を高めることができる電子機器及び当該電子機器に用いられるアースバネを提供することである。
【課題を解決するための手段】
【０００８】
上記目的を達成するために、本発明の一態様に係る電子機器は、第１の導電部と、第２の導電部と、前記第１の導電部と前記第２の導電部とを電気的に接続するコイル状のアースバネと、前記アースバネを前記第２の導電部に締結する締結部材と、を備え、前記アースバネは、前記アースバネの径方向に複数ターン巻かれ、且つ、前記第１の導電部を押圧する第１の端部と、前記締結部材により前記第２の導電部に締結される第２の端部と、を有する。
【０００９】
本態様によれば、コイル状のアースバネには取り付けの方向性が無いので、電子機器の製造工程においてアースバネを取り付ける際の作業性を高めることができる。また、第１の端部は径方向に複数ターン巻かれているので、第１の端部と第１の導電部との接触面積を十分に確保することができる。
【００１０】
例えば、本発明の一態様に係る電子機器において、前記締結部材は、前記第１の端部の開口部から前記第２の端部の開口部に挿入されることにより、前記第２の端部を前記第２の導電部に締結するように構成してもよい。
【００１１】
本態様によれば、締結部材は、第１の端部の開口部から第２の端部の開口部に挿入されるので、アースバネの第２の端部を第２の導電部に容易に締結することができる。
【００１２】
例えば、本発明の一態様に係る電子機器において、前記第２の端部は、前記径方向に複数ターン巻かれているように構成してもよい。
【００１３】
本態様によれば、第２の端部は径方向に複数ターン巻かれているので、アースバネの第２の端部を第２の導電部に安定して締結することができる。
【００１４】
例えば、本発明の一態様に係る電子機器において、前記第１の端部の前記開口部の直径は、前記第２の端部の前記開口部の直径よりも大きいように構成してもよい。
【００１５】
本態様によれば、第１の端部の開口部の直径は、第２の端部の開口部の直径よりも大きいので、締結部材を第１の端部の開口部から第２の端部の開口部に容易に挿入することができる。
【００１６】
例えば、本発明の一態様に係る電子機器において、前記アースバネの直径は、前記第１の端部から前記第２の端部にかけて漸減しているように構成してもよい。
【００１７】
本態様によれば、アースバネの直径は、第１の端部から第２の端部にかけて漸減しているので、締結部材を第１の端部の開口部から第２の端部の開口部に容易に挿入することができる。
【００１８】
例えば、本発明の一態様に係る電子機器において、前記第１の導電部及び前記第２の導電部の少なくとも一方は、筐体であるように構成してもよい。
【００１９】
本態様によれば、第１の導電部及び第２の導電部の少なくとも一方は筐体であるので、筐体にアースするアース構造を構成することができる。
【００２０】
例えば、本発明の一態様に係るアースバネは、第１の導電部と第２の導電部とを電気的に接続するためのアースバネであって、前記アースバネはコイル状に構成され、径方向に複数ターン巻かれ、且つ、前記第１の導電部を押圧するための第１の端部と、締結部材により前記第２の導電部に締結されるための第２の端部と、を備える。
【００２１】
本態様によれば、コイル状のアースバネには取り付けの方向性が無いので、アースバネを取り付ける際の作業性を高めることができる。さらに、第１の端部は径方向に複数ターン巻かれているので、第１の端部と第１の導電部との接触面積を十分に確保することができる。
【発明の効果】
【００２２】
本発明の一態様に係る電子機器及びアースバネによれば、アースバネを取り付ける際の作業性を高めることができる。
【図面の簡単な説明】
【００２３】
【図１】実施の形態１に係る電子機器を示す斜視図である。
【図２】図１中のＡ−Ａ線により切断した電子機器の要部端面図である。
【図３】実施の形態１に係る電子機器のアース構造を示す要部斜視図である。
【図４】実施の形態１に係るアースバネを示す斜視図である。
【図５】実施の形態２に係る電子機器の要部端面図である。
【図６】実施の形態２に係るアースバネを示す斜視図である。
【発明を実施するための形態】
【００２４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
［電子機器の構成］
まず、図１及び図２を参照しながら、実施の形態１に係る電子機器の構成について説明する。図１は、実施の形態１に係る電子機器を示す斜視図である。図２は、図１中のＡ−Ａ線により切断した電子機器の要部端面図である。
【００２６】
図１に示すように、電子機器２は、例えば、光ディスクを再生するための光ディスク再生装置である。なお、光ディスク再生装置は、例えば、光ディスクに記録された情報の再生及び光ディスクへの情報の記録を行うためのブルーレイディスク（ＢＤ：Ｂｌｕ−ｒａｙ（登録商標）  Ｄｉｓｃ）レコーダ等である。光ディスクは、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２７】
電子機器２は、筐体４を備えている。図１及び図２に示すように、筐体４は、シャーシ６及びカバー８（第１の導電部を構成する）が相互に組み合わされることによって、ケース状に構成されている。シャーシ６及びカバー８はそれぞれ、例えばアルミニウム等の金属で形成されている。
【００２８】
シャーシ６は、矩形状の底板６ａと、底板６ａの外周の４辺からそれぞれ上方に向けて延びる４個の側板６ｂと、を有している。シャーシ６の上面には、開口部６ｃが設けられている。底板６ａの上面には、プリント配線基板１０（後述する）を支持するためのボス部１２が複数設けられている。複数のボス部１２の各々には、ネジ１４（締結部材を構成する）をネジ止めするためのネジ孔１６が設けられている。なお、複数のボス部１２の各々は、絶縁材料で形成されている。さらに、側板６ｂには、ネジ１８をネジ止めするためのネジ孔２０が設けられている。
【００２９】
カバー８は、矩形状の天板８ａと、天板８ａの外周の相互に対向する２辺からそれぞれ下方に向けて延びる一対の側板８ｂと、を有している。カバー８は、天板８ａがシャーシ６の開口部６ｃを覆い且つ一対の側板８ｂの各々が対応するシャーシ６の側板６ｂを外側から覆うようにして、シャーシ６に取り付けられている。一対の側板８ｂの各々には、ネジ１８を挿入するための貫通孔２２が設けられている。ネジ１８が貫通孔２２を通してネジ孔２０にネジ止めされることにより、シャーシ６及びカバー８が相互に締結される。
【００３０】
さらに、ネジ１８の頭部１８ａと側板８ｂとの間には歯付き座金２４が挟持されている。これにより、シャーシ６とカバー８とがネジ１８を介して電気的に接続されている。なお、シャーシ６にはアースケーブル（図示せず）が電気的に接続されており、このアースケーブルによって筐体４がアースされている。
【００３１】
図１及び図２に示すように、上述した筐体４の内部には、複数の部品、例えば、電源回路が実装されたプリント配線基板１０等が収納されている。プリント配線基板１０には、上述した複数のボス部１２に対応して、ネジ１４を挿入するための貫通孔２６が複数設けられている。ネジ１４が複数の貫通孔２６の各々を通して対応するボス部１２のネジ孔１６にネジ止めされることにより、プリント配線基板１０が複数のボス部１２に締結されている。
【００３２】
さらに、プリント配線基板１０の実装面には、アースパターン２８（第２の導電部を構成する）が形成されている。このアースパターン２８は、貫通孔２６を囲むようにして配置されている。アースパターン２８は、後述するアース構造によって筐体４にアースされている。
【００３３】
なお、プリント配線基板１０の実装面には、例えば抵抗素子及び電解コンデンサ等の電子部品が複数実装されているが、説明の都合上、図２及び図３ではそれらの図示を省略している。
【００３４】
［電子機器のアース構造］
次に、図２〜図４を参照しながら、本実施の形態の電子機器２の特徴的な構成であるアース構造について説明する。図３は、実施の形態１に係る電子機器のアース構造を示す要部斜視図である。図４は、実施の形態１に係るアースバネを示す斜視図である。
【００３５】
図２及び図３に示すように、本実施の形態の電子機器２のアース構造では、コイル状のアースバネ３０が用いられている。図４に示すように、アースバネ３０は、その直径が第１の端部３２から第２の端部３４にかけて漸減する、いわゆる逆円錐台形状に構成されている。第１の端部３２は、アースバネ３０の径方向外側に略平面状に複数ターン（例えば、２〜５ターン程度）巻かれることにより形成されている。第２の端部３４は、アースバネ３０の径方向内側に略平面状に複数ターン（例えば、２〜５ターン程度）巻かれることにより形成されている。第１の端部３２の開口部３６の直径Ｄ１は、第２の端部３４の開口部３８の直径Ｄ２よりも大きい。第２の端部３４の開口部３８の直径Ｄ２は、ネジ１４の頭部１４ａの直径ｄ２よりも小さく、且つ、ネジ１４の軸部１４ｂの直径ｄ１よりも大きい。なお、アースバネ３０は、例えばステンレス等の金属で形成されている。
【００３６】
上述したアースバネ３０は、ネジ１４によりプリント配線基板１０のアースパターン２８に締結されている。すなわち、ネジ１４は、第１の端部３２の開口部３６から第２の端部３４の開口部３８に挿入された後に、プリント配線基板１０の貫通孔２６を通してボス部１２のネジ孔１６にネジ止めされている。これにより、アースバネ３０の第２の端部３４は、ネジ１４の頭部１４ａとアースパターン２８との間に挟持される。その結果、アースバネ３０の第２の端部３４は、アースパターン２８に電気的に接続される。
【００３７】
このようにアースパターン２８に締結されたアースバネ３０は、その軸方向に弾性的に収縮した状態で、カバー８の天板８ａとプリント配線基板１０との間に配置されている。これにより、アースバネ３０の第１の端部３２は、アースバネ３０の弾性復元力によってカバー８の天板８ａの内面を押圧する。その結果、アースバネ３０の第１の端部３２は、カバー８に電気的に接続される。
【００３８】
以上のようにして、プリント配線基板１０のアースパターン２８は、アースバネ３０を介して筐体４にアースされる。
【００３９】
［効果］
次に、本実施の形態の電子機器２のアース構造により得られる効果について説明する。コイル状のアースバネ３０には取り付けの方向性が無いため、電子機器２の製造工程においてアースバネ３０を取り付ける際の作業性を高めることができる。
【００４０】
さらに、アースバネ３０は逆円錐台形状に構成され、第１の端部３２の開口部３６の直径Ｄ１は、第２の端部３４の開口部３８の直径Ｄ２よりも大きいので、ネジ１４を第１の端部３２の開口部３６から第２の端部３４の開口部３８に容易に挿入することができる。これにより、電子機器２の製造工程において、アースバネ３０を取り付ける際の作業性をより一層高めることができる。
【００４１】
さらに、第１の端部３２は、アースバネ３０の径方向外側に略平面状に複数ターン巻かれることにより形成されているので、第１の端部３２とカバー８の天板８ａとの接触面積を十分に確保することができる。これにより、アースパターン２８をより確実にアースすることができるとともに、十分なＥＭＩ対策を施すことができる。なお、第１の端部３２において巻かれるターン数を調節することにより、第１の端部３２とカバー８の天板８ａとの接触面積を調節することができる。
【００４２】
さらに、第２の端部３４は、アースバネ３０の径方向内側に略平面状に複数ターン巻かれることにより形成されているので、第２の端部３４をネジ１４の頭部１４ａとアースパターン２８との間に容易に挟持することができる。これにより、第２の端部３４をネジ１４によりアースパターン２８に安定して締結することができる。なお、第２の端部３４において巻かれるターン数を調節することにより、第２の端部３４とアースパターン２８との接触面積を調節することができる。
【００４３】
（実施の形態２）
次に、図５及び図６を参照しながら、実施の形態２に係る電子機器について説明する。図５は、実施の形態２に係る電子機器の要部端面図である。図６は、実施の形態２に係るアースバネを示す斜視図である。なお、本実施の形態において、上記実施の形態１と同一の構成要素には同一の符号を付して、その説明を省略する。
【００４４】
図５及び図６に示すように、本実施の形態の電子機器２Ａでは、アースバネ３０Ａは、その直径が第１の端部３２Ａから第２の端部３４Ａにかけて略等しい、いわゆる略円柱形状に構成されている。上記実施の形態１と同様に、第１の端部３２Ａの開口部３６Ａの直径Ｄ１は、第２の端部３４Ａの開口部３８Ａの直径Ｄ２よりも大きい。
【００４５】
このアースバネ３０Ａは、ネジ１４により筐体４Ａのシャーシ６Ａ（第２の導電部を構成する）の底板６Ａａに締結されている。すなわち、ネジ１４は、第１の端部３２Ａの開口部３６Ａから第２の端部３４Ａの開口部３８Ａに挿入された後に、底板６Ａａに設けられたネジ孔４０にネジ止めされている。これにより、アースバネ３０Ａの第２の端部３４Ａは、ネジ１４の頭部１４ａと底板６Ａａとの間に挟持される。その結果、アースバネ３０Ａの第２の端部３４Ａは、シャーシ６Ａに電気的に接続される。
【００４６】
このようにシャーシ６Ａの底板６Ａａに締結されたアースバネ３０Ａは、その軸方向に弾性的に収縮した状態で、カバー８（第１の導電部を構成する）の天板８ａとシャーシ６Ａの底板６Ａａとの間に配置されている。これにより、アースバネ３０Ａの第１の端部３２Ａは、アースバネ３０Ａの弾性復元力によってカバー８の天板８ａの内面を押圧する。その結果、アースバネ３０Ａの第１の端部３２Ａは、カバー８に電気的に接続される。
【００４７】
以上のようにして、シャーシ６Ａとカバー８とがアースバネ３０Ａを介して電気的に接続される。
【００４８】
以上、本発明の実施の形態に係る電子機器及びアースバネについて説明したが、本発明は、これらの実施の形態に限定されるものではない。例えば、上記各実施の形態を組み合わせてもよい。
【００４９】
上記各実施の形態では、電子機器としての光ディスク再生装置は、ブルーレイディスクレコーダであるが、これに限定されず、例えばブルーレイディスクプレーヤ、ＤＶＤレコーダ、ＤＶＤプレーヤ又はＣＤプレーヤ等でもよい。電子機器は、光ディスク再生装置に限定されず、例えばパーソナルコンピュータ及びテレビジョン受像機等のあらゆる家電機器に適用することができる。あるいは、電子機器は、例えば産業用機器及び医療用機器等にも適用することができる。
【００５０】
上記各実施の形態では、締結部材はネジであるが、これに限定されず、例えばボルト、ピン及びリベット等でもよい。
【００５１】
上記各実施の形態では、締結部材としてのネジをアースバネの第１の端部の開口部から第２の端部の開口部に挿入したが、これと反対に、ネジを第１の端部の開口部とは反対側から第２の端部の開口部に挿入してもよい。この場合には、例えばネジの軸部には、アースバネの第１の端部の開口部から挿入されたナットが装着される。これにより、アースバネの第２の端部は、ネジの頭部とナットとの間に挟持される。
【００５２】
上記各実施の形態では、アースバネを逆円錐台形状又は略円柱形状に構成したが、これに限定されず、例えば、軸方向の中央部が径方向外側に膨らんだ樽形状等に構成することもできる。
【００５３】
上記各実施の形態では、カバーを第１の導電部としたが、これに限定されず、例えば、筐体に取り付けられ、ハードディスクドライブを支持するためのブラケットを第１の導電部としてもよい。この場合には、アースバネの第１の端部は、当該ブラケットを押圧する。従って、アースバネは、電子機器の内部のあらゆる箇所に設置することができる。
【００５４】
上記各実施の形態では、アースバネの第１の端部は、径方向外側に複数ターン巻かれているが、これとは反対に、径方向内側に複数ターン巻かれていてもよい。
【００５５】
上記各実施の形態では、アースバネの第２の端部は、アースバネの径方向に複数ターン巻かれているが、１ターンのみ巻かれていてもよい。
【産業上の利用可能性】
【００５６】
本発明は、アース構造を有する電子機器及び当該電子機器に用いられるアースバネとして適用することができる。
【符号の説明】
【００５７】
２，２Ａ  電子機器
４，４Ａ  筐体
６，６Ａ  シャーシ
６ａ，６Ａａ  底板
６ｂ  側板
６ｃ  開口部
８  カバー
８ａ  天板
８ｂ  側板
１０  プリント配線基板
１２  ボス部
１４，１８  ネジ
１４ａ，１８ａ  頭部
１４ｂ  軸部
１６，２０，４０  ネジ孔
２２，２６  貫通孔
２４  歯付き座金
２８  アースパターン
３０，３０Ａ  アースバネ
３２，３２Ａ  第１の端部
３４，３４Ａ  第２の端部
３６，３６Ａ，３８，３８Ａ  開口部
【図１】
2014203965.tif 000003
【図２】
2014203965.tif 000004
【図３】
2014203965.tif 000005
【図４】
2014203965.tif 000006
【図５】
2014203965.tif 000007
【図６】
2014203965.tif 000008